(57)【要約】【課題】この発明は、内燃機関の制御装置に関し、気筒内に燃料を直接噴射する燃料噴射弁を備える内燃機関において、ピストンの頂面全体を効率良く冷却できるようにすることでノッキングを効果的に抑制できるようにすることを目的とする。【解決手段】燃焼室２０の天井部の中央付近に配置され、気筒内に燃料を直接噴射する燃料噴射弁３２を備える内燃機関１０において、ＥＣＵ４０は、ノッキングの発生を検知した場合に、吸気行程に設定された第１の噴射時期において、燃料噴射弁３２から燃料を噴射させる第１の燃料噴射処理と、圧縮行程の後半に設定された第２の噴射時期において、燃料噴射弁３２から燃料を噴射させる第２の燃料噴射処理とを実行する。【選択図】図１
2018178721.tif 000002
【特許請求の範囲】
【請求項１】
燃焼室の天井部の中央付近に配置され、気筒内に燃料を直接噴射する燃料噴射弁を備える内燃機関を制御する制御装置であって、
前記制御装置は、ノッキングの発生を検知した場合に、
吸気行程に設定された第１の噴射時期において、前記燃料噴射弁から燃料を噴射させる第１の燃料噴射処理と、
圧縮行程の後半に設定された第２の噴射時期において、前記燃料噴射弁から燃料を噴射させる第２の燃料噴射処理と、
を実行することを特徴とする内燃機関の制御装置。
【発明の詳細な説明】
【技術分野】
【０００１】
この発明は、内燃機関の制御装置に関し、より詳細には、気筒内に燃料を直接噴射する燃料噴射弁が燃焼室の天井部の中央付近に配置された内燃機関を制御する制御装置に関する。
【背景技術】
【０００２】
例えば、特許文献１には、気筒内に燃料を直接噴射する燃料噴射弁を備える内燃機関の燃料制御装置が開示されている。この燃料噴射弁は、燃焼室の天井部の周縁部に配置されている。また、この内燃機関では、気筒内にタンブル流（縦旋回流）が生成されるようになっている。そのうえで、この燃料噴射制御装置では、吸気行程中に設定された第１の噴射時期において上記燃料噴射弁による１回目の燃料噴射が行われる。さらに、圧縮行程後半に設定された第２の噴射時期において上記燃料噴射弁による２回目の燃料噴射が少量で行われる。そして、２回目の燃料噴射は、少量の燃料をタンブル流に対向する方向に噴射される。このような２回目の燃料噴射によれば、タンブル流の中にリッチ空燃比の混合気を形成することができる。そして、このリッチ空燃比の混合気は、タンブル流に伴って流動し、点火時期に点火プラグの周辺に運ばれる。これにより、点火プラグによる混合気の着火性を向上でき、また、火炎伝播速度の増大によって耐ノック性を向上させることができる。
【先行技術文献】
【特許文献】
【０００３】
【特許文献１】特開２０１６−１８６２６０号公報
【特許文献２】特開２０１４−２０６０５５号公報
【発明の概要】
【発明が解決しようとする課題】
【０００４】
気筒内のガスまたは壁面の温度が高いと、ノッキングが発生し易い。ノッキングの抑制には、噴射燃料の気化潜熱によるピストン冷却が有効である。しかしながら、特許文献１には、噴射燃料を利用してピストン冷却を向上させる点について開示されていない。この点において、特許文献１は、未だ改善の余地を残すものであった。
【０００５】
本発明は、上述のような課題に鑑みてなされたものであり、気筒内に燃料を直接噴射する燃料噴射弁を備える内燃機関において、ピストンの頂面全体を効率良く冷却できるようにすることでノッキングを効果的に抑制できるようにした内燃機関の制御装置を提供することを目的とする。
【課題を解決するための手段】
【０００６】
本発明に係る内燃機関の制御装置は、燃焼室の天井部の中央付近に配置され、気筒内に燃料を直接噴射する燃料噴射弁を備える内燃機関を制御する。前記制御装置は、ノッキングの発生を検知した場合に、吸気行程に設定された第１の噴射時期において、前記燃料噴射弁から燃料を噴射させる第１の燃料噴射処理と、圧縮行程の後半に設定された第２の噴射時期において、前記燃料噴射弁から燃料を噴射させる第２の燃料噴射処理と、を実行する。
【発明の効果】
【０００７】
本発明によれば、ノッキングの発生が検知された場合には、吸気行程に設定された第１の噴射時期での第１の燃料噴射処理とともに、圧縮行程の後半に設定された第２の噴射時期での第２の燃料噴射処理が実行される。燃料噴射弁は、燃焼室の天井部の中央付近に配置されているので、燃料は、天井部の中央付近からピストンの頂面に向けて噴射される。このため、圧縮行程後半で行われる第２の燃料噴射処理によれば、燃料をピストンの頂面の中央に直接当てることができる。このため、微小な燃料噴射量であってもピストンの頂面全体を効率良く冷却することができる。そして、このようにピストン冷却が強化されることで、ノッキングを効果的に抑制できるようになる。
【図面の簡単な説明】
【０００８】
【図１】本発明の実施の形態に係るシステムの構成および動作を説明するための図である。
【図２】エンジン回転速度がピストン冷却に及ぼす影響を説明するための図である。
【発明を実施するための形態】
【０００９】
以下、図面を参照して本発明の実施の形態について説明する。ただし、以下に示す実施の形態において各要素の個数、数量、量、範囲等の数に言及した場合、特に明示した場合や原理的に明らかにその数に特定される場合を除いて、その言及した数に、この発明が限定されるものではない。また、以下に示す実施の形態において説明する構造等は、特に明示した場合や明らかに原理的にそれに特定される場合を除いて、この発明に必ずしも必須のものではない。
【００１０】
図１は、本発明の実施の形態に係るシステムの構成および動作を説明するための図である。より詳細には、図１（Ａ）〜（Ｄ）は、内燃機関１０の気筒１２を気筒中心軸に垂直な方向（側面方向）から見た図である。
【００１１】
１．システム構成の説明
まず、主に図１（Ａ）を参照して、本実施形態に係るシステム構成について説明する。このシステムは、車両に搭載される内燃機関１０を備えている。内燃機関１０は、火花点火式の４ストロークエンジンである。
【００１２】
内燃機関１０は、気筒１２が形成されたシリンダブロック１４と、シリンダブロック１４上に配置されるシリンダヘッド１６と、を有している。気筒１２内にはその軸方向に往復動するピストン１８が配置されている。内燃機関１０の燃焼室２０は、少なくともシリンダブロック１４の壁面と、シリンダヘッド１６の下面（燃焼室２０の天井面）と、ピストン１８の頂面とによって画定されている。
【００１３】
シリンダヘッド１６には、燃焼室２０に連通する吸気ポート２２および排気ポート２４が形成されている。吸気ポート２２の燃焼室２０に連通する開口部には吸気バルブ２６が設けられ、排気ポート２４の燃焼室２０に連通する開口部には排気バルブ２８が設けられている。
【００１４】
また、シリンダヘッド１６における燃焼室２０の天井部の中央付近には、点火装置の点火プラグ３０が設けられている。さらに、燃焼室２０の天井部の中央付近（より詳細には、一例として、点火プラグ３０が設けられた位置よりも吸気バルブ２６の側の位置）には、気筒１２（燃焼室２０）内に燃料を直接噴射する燃料噴射弁３２が設けられている。燃料噴射弁３２は、その先端が燃焼室２０内に突き出すように（より詳細には、ピストン１８の頂面と対向するように）配置されている。そして、燃料噴射弁３２の先端には、複数の噴孔（図示省略）が放射状に形成されている。このため、燃料噴射弁３２が開くと、これらの噴孔から燃料が高圧状態で噴射される。より具体的には、燃料噴射弁３２は、燃焼室２０の天井部の中央付近に配置されているので、燃料は、天井部の中央付近からピストン１８の頂面に向けて放射状に噴射されることになる。
【００１５】
本実施形態に係るシステムは、電子制御ユニット（ＥＣＵ）４０を備えている。ＥＣＵ４０には、内燃機関１０の運転状態を検知するための各種センサと、内燃機関１０の運転を制御するための各種アクチュエータとが電気的に接続されている。各種センサは、クランク角に応じた信号を出力するクランク角センサ４２と、ノッキングを検出するためのノックセンサ４４とを含む。ＥＣＵ４０は、クランク角センサ４２を用いてエンジン回転速度を取得できる。また、上記の各種アクチュエータは、上述した点火プラグ３０を有する点火装置と燃料噴射弁３２とを含む。
【００１６】
ＥＣＵ４０は、プロセッサ、メモリおよび入出力インターフェースを備えている。入出力インターフェースは、上記の各種センサからセンサ信号を取り込むとともに、上記の各種アクチュエータに対して操作信号を出力する。メモリには、各種アクチュエータを制御するための各種の制御プログラムおよびマップが記憶されている。プロセッサは、制御プログラムをメモリから読み出して実行する。これにより、本実施形態に係る「内燃機関の制御装置」の機能が実現される。
【００１７】
２．実施の形態に係るノッキング抑制制御
気筒内のガスまたは壁面の温度が高いと、ノッキングが発生し易い。燃料噴射弁３２のように気筒内に燃料を直接噴射する燃料噴射弁を備える内燃機関においてノッキングを抑制するためには、噴射燃料の気化潜熱によってピストン１８を冷却することが有効である。ＥＣＵ４０が実行するエンジン制御には、噴射燃料によるピストン冷却によってノッキングを抑制するためのノッキング抑制制御が含まれている。
【００１８】
２−１．ピストン冷却によるノッキング抑制制御の課題
図２は、エンジン回転速度がピストン冷却に及ぼす影響を説明するための図である。図２（Ａ）および図２（Ｂ）は、本実施形態において前提として使用される燃料噴射時期（以下、「通常噴射時期制御」とも称する）を表している。より詳細には、低エンジン回転速度時には、図２（Ｂ）に示すように、燃料噴射は吸気行程の後半において開始および終了される。一方、高エンジン回転速度時には、図２（Ａ）に示すように、燃料噴射は吸気行程の前半において開始され、吸気行程の後半において終了される。さらに付け加えると、この前提の下では、エンジン回転速度が低くなるにつれ、燃料噴射の開始時期が遅角されていく。
【００１９】
図２中に示す「ピストン冷却適切期間」は、ピストン１８が上死点（ＴＤＣ）と下死点（ＢＤＣ）との中点およびそれよりも上死点側に位置する期間に相当する。このようなピストン冷却適切期間であれば、燃料噴射弁３２による噴射燃料がピストン１８の頂面に当たり易くなるので、ピストン冷却を効率的に行うことができるといえる。一方、同図中に示す「ピストン冷却不適切期間」は、ピストン１８が上記中点よりも下死点側に位置する期間に相当する。ピストン冷却不適切期間では、噴射燃料がピストン１８の頂面に当たりにくくなるので、ピストン冷却を効率的に行うことが難しくなる。
【００２０】
高エンジン回転速度時であれば、上記の通常噴射時期制御であっても、燃料の噴き始めには図２（Ａ）に示すようにピストン１８が上方（図２中に示す上死点（ＴＤＣ側））に位置している（すなわち、ピストン冷却適切期間内にある）ので、ピストン冷却を効率的に行うことができる。これに対し、低エンジン回転速度時には、上記の通常噴射時期制御では、燃料の噴き始めには図２（Ｂ）に示すようにピストン１８が下方（下死点側）に位置している（すなわち、ピストン冷却不適切期間内にある）ので、ピストン冷却を効率的に行うことが難しくなる。
【００２１】
２−２．実施の形態に係るノッキング抑制制御
そこで、本実施形態では、ノッキングの発生が検知された場合に、エンジン回転速度が所定回転速度以下となる低エンジン回転速度時であれば、図２（Ｃ）に示すような態様で微量の燃料噴射が追加的に実行される。すなわち、ＥＣＵ４０は、吸気行程（より詳細には、吸気行程後半）に設定された第１の噴射時期において、燃料噴射弁３２から燃料を噴射させる第１の燃料噴射処理を実行し、さらに、圧縮行程の後半に設定された第２の噴射時期において、燃料噴射弁３２から微量の燃料を噴射させる第２の燃料噴射処理を実行する。なお、上述のように、通常噴射時期制御によれば、エンジン回転速度が低くなるにつれ、燃料噴射の開始時期が遅角されていく。このため、上記の所定回転速度は、一例として、燃料噴射の開始時期がピストン冷却不適切期間に該当するエンジン回転速度の上限値に相当する。
【００２２】
次に、図１（Ａ）〜（Ｄ）を参照して、本実施形態に係るノッキング抑制制御（上述の２回噴射制御）をより具体的に説明する。
【００２３】
図１（Ａ）は、ノックセンサ４４を用いてノッキングの発生が検知されたタイミングを示している。なお、ノッキングの発生の検知のためには、ノックセンサ４４に限らず、例えば、筒内圧センサを使用してもよい。
【００２４】
図１（Ａ）に示すようにノッキングの発生が検知されると、ノッキングの解消要求が出される。ノッキング解消要求が出されたときにエンジン回転速度が上記所定回転速度以下である場合には、次の燃焼サイクルからノッキング抑制制御が実行される。図１（Ｂ）および図１（Ｃ）は、このようなノッキング抑制制御である２回噴射制御が行われている様子を表している。まず、図１（Ｂ）に示すように、ピストン１８が下降している吸気行程の後半において（すなわち、通常噴射時期制御と同様の態様で）、１回目の燃料噴射が実行される。次いで、図１（Ｃ）に示すように、ピストン１８が上昇している圧縮行程の後半において、２回目の燃料噴射が実行される。
【００２５】
図１（Ｄ）は、上記のノッキング抑制制御の実施によってノッキングの発生が検知されることなく点火が実行され、かつ、その後に膨張行程に進んでいる様子を表している。このように、ノッキングの発生が検知されなくなると、ノッキング抑制制御（２回噴射制御）が終了され、燃料噴射制御が次の燃焼サイクルから通常噴射時期制御に戻される。
【００２６】
２−３．実施の形態に係るノッキング抑制制御の効果
以上説明したように、本実施形態では、ノッキングの発生が検知されたときにエンジン回転速度が上記所定回転速度以下である場合には、上述の２回噴射制御がノッキング抑制制御として実行される。２回噴射制御における２回目の燃料噴射は、圧縮行程後半、すなわち、ピストン冷却適切期間において行われる。燃料噴射弁３２は、燃焼室２０の天井部の中央付近に配置されているので、燃料は、天井部の中央付近からピストン１８の頂面に向けて（より詳細には、放射状に）噴射される。そして、圧縮行程後半で行われる２回目の燃料噴射によれば、図１（Ｃ）に示すように、燃料をピストン１８の頂面の中央に直接当てることができる（より詳細には、頂面の中央を中心として燃料を当該頂面に放射状に当てることができる）。このため、微小な燃料噴射量であってもピストン１８の頂面全体を効率良く冷却することができる。そして、このようにピストン冷却が強化されることで、ノッキングを効果的に抑制できるようになる。
【００２７】
また、２回目の燃料噴射によりピストン１８の頂面に当てられた燃料は、ピストン１８からの受熱によって気化する。このため、第２の燃料噴射は、混合気形成の強化にも寄与する。
【００２８】
ところで、上述した実施の形態においては、エンジン回転速度が上記所定回転速度以下であるときに限って、上述のノッキング抑制制御（２回噴射制御）が実行される。しかしながら、吸気行程に設定された燃料噴射の開始時期がすべてのエンジン回転速度範囲においてピストン冷却不適切期間に該当するように通常噴射時期制御が前提として構成されている場合には、上述のノッキング抑制制御は、エンジン回転速度に関係なく実施されてもよい。
【符号の説明】
【００２９】
１０  内燃機関
１２  気筒
１４  シリンダブロック
１６  シリンダヘッド
１８  ピストン
２０  燃焼室
３０  点火プラグ
３２  燃料噴射弁
４０  電子制御ユニット（ＥＣＵ）
４２  クランク角センサ
４４  ノックセンサ
【図１】
2018178721.tif 000003
【図２】
2018178721.tif 000004